(57)【要約】【課題】汎用性をより高めることのできるシールド板および当該シールド板が取り付けられたコネクタを得る。【解決手段】シールド板７はコネクタ２に取り付けられるものである。コネクタ２は、コンタクト２２と、当該コンタクト２２が圧入される圧入部２１ｅが複数形成されたハウジング２１と、を備えている。そして、シールド板７は、複数の圧入部２１ｅのうち少なくともいずれか１つの圧入部２１ｅに圧入されてシールド板７をコネクタ２のハウジング２１に取り付ける取付部７１を備えている。【選択図】図４
2013211249.tif 000002
【特許請求の範囲】
【請求項１】
コネクタに取り付けられるシールド板であって、
前記コネクタは、コンタクトと、当該コンタクトが圧入される圧入部が複数形成されたハウジングと、を備え、
前記シールド板は、前記複数の圧入部のうち少なくともいずれか１つの圧入部に圧入されて前記シールド板を前記コネクタのハウジングに取り付ける取付部を備えることを特徴とするシールド板。
【請求項２】
前記シールド板は、前記ハウジングの内側に形成された空間部に配置され、前記ハウジングの壁部内面に当接することで前記シールド板が前記ハウジングから離れる方向に移動するのを規制する規制部を備えることを特徴とする請求項１に記載のシールド板。
【請求項３】
前記コンタクトは、信号用コンタクトとグランド用コンタクトとを備え、
前記シールド板は、当該シールド板を前記ハウジングに取り付けた状態で、前記グランド用コンタクトに接触する接触部を備えることを特徴とする請求項１または請求項２に記載のシールド板。
【請求項４】
前記コンタクトは複数設けられており、当該複数のコンタクトが一方向に配列されるように前記ハウジングの圧入部に圧入されており、
前記ハウジングの一方向両端に形成された圧入部に前記シールド板の取付部が圧入されることを特徴とする請求項１〜３のうちいずれか１項に記載のシールド板。
【請求項５】
前記ハウジングの一方向中央部に形成された圧入部に前記シールド板の取付部が圧入されることを特徴とする請求項４に記載のシールド板。
【請求項６】
前記取付部の圧入部分の形状が前記コンタクトの圧入部分の形状とほぼ同一であることを特徴とする請求項１〜５のうちいずれか１項に記載のシールド板。
【請求項７】
前記取付部は、圧入部分と当該圧入部分から延設されて前記コネクタが相手側コネクタと合体した際に当該相手側コネクタのコンタクトと接触する接触部分とを備えていることを特徴とする請求項１〜６のうちいずれか１項に記載のシールド板。
【請求項８】
前記接触部分は、前記相手側コネクタのコンタクトのグランド用コンタクトに接触することを特徴とする請求項７に記載のシールド板。
【請求項９】
前記シールド板は、回路基板に取付固定される複数の端子部を備えるとともに、前記取付部は複数設けられており、
前記複数の端子部および取付部が一方向の同位置に配列されるように前記シールド板に設けられていることを特徴とする請求項７または請求項８に記載のシールド板。
【請求項１０】
前記複数の端子部および取付部は、等間隔で前記シールド板の一方向に配列されていることを特徴とする請求項９に記載のシールド板。
【請求項１１】
請求項１〜１０のうちいずれか１項に記載のシールド板が取り付けられたコネクタ。
【発明の詳細な説明】
【技術分野】
【０００１】
本発明は、シールド板および当該シールド板が取り付けられたコネクタに関する。
【背景技術】
【０００２】
従来より、コネクタハウジングと当該コネクタハウジングに設けられるコンタクトとを備えるコネクタに、シールド板を取り付けるようにしたものが知られている（例えば、特許文献１参照）。
【０００３】
この特許文献１では、シールド板をコネクタハウジングに取り付けて側面からコンタクトを覆うことで、コンタクト自体から発生する電磁波やコンタクトに影響を与える外部からの電磁波をシールドするようにしている。
【先行技術文献】
【特許文献】
【０００４】
【特許文献１】特開２００８−２１８０９５号公報
【発明の概要】
【発明が解決しようとする課題】
【０００５】
しかしながら、上記従来の技術では、シールド板に設けた係止部をコネクタハウジングに形成した係合部に係合させることでシールド板をコネクタハウジングに取り付けている。
【０００６】
なお、シールド板を取り付ける必要のないコネクタも従来より存在しており、このようなコネクタのコネクタハウジングには上記従来のシールド板を取り付けることができない。
【０００７】
そのため、従来は、シールド板取付用のコネクタハウジングとシールド板を取り付ける必要のないコネクタハウジングとを別個に形成していた。すなわち、用途に応じて別個のコネクタハウジングを形成していた。したがって、従来の技術では、シールド板の汎用性を高めることができなかった。
【０００８】
そこで、本発明は、汎用性をより高めることのできるシールド板および当該シールド板が取り付けられたコネクタを得ることを目的とする。
【課題を解決するための手段】
【０００９】
本発明の第１の特徴は、コネクタに取り付けられるシールド板であって、前記コネクタは、コンタクトと、当該コンタクトが圧入される圧入部が複数形成されたハウジングと、を備え、前記シールド板は、前記複数の圧入部のうち少なくともいずれか１つの圧入部に圧入されて前記シールド板を前記コネクタのハウジングに取り付ける取付部を備えることを要旨とする。
【００１０】
本発明の第２の特徴は、前記シールド板は、前記ハウジングの内側に形成された空間部に配置され、前記ハウジングの壁部内面に当接することで前記シールド板が前記ハウジングから離れる方向に移動するのを規制する規制部を備えることを要旨とする。
【００１１】
本発明の第３の特徴は、前記コンタクトは、信号用コンタクトとグランド用コンタクトとを備え、前記シールド板は、当該シールド板を前記ハウジングに取り付けた状態で、前記グランド用コンタクトに接触する接触部を備えることを要旨とする。
【００１２】
本発明の第４の特徴は、前記コンタクトは複数設けられており、当該複数のコンタクトが一方向に配列されるように前記ハウジングの圧入部に圧入されており、前記ハウジングの一方向両端に形成された圧入部に前記シールド板の取付部が圧入されることを要旨とする。
【００１３】
本発明の第５の特徴は、前記ハウジングの一方向中央部に形成された圧入部に前記シールド板の取付部が圧入されることを要旨とする。
【００１４】
本発明の第６の特徴は、前記取付部の圧入部分の形状が前記コンタクトの圧入部分の形状とほぼ同一であることを要旨とする。
【００１５】
本発明の第７の特徴は、前記取付部は、圧入部分と当該圧入部分から延設されて前記コネクタが相手側コネクタと合体した際に当該相手側コネクタのコンタクトと接触する接触部分とを備えていることを要旨とする。
【００１６】
本発明の第８の特徴は、前記接触部分は、前記相手側コネクタのコンタクトのグランド用コンタクトに接触することを要旨とする。
【００１７】
本発明の第９の特徴は、前記シールド板は、回路基板に取付固定される複数の端子部を備えるとともに、前記取付部は複数設けられており、前記複数の端子部および取付部が一方向の同位置に配列されるように前記シールド板に設けられていることを要旨とする。
【００１８】
本発明の第１０の特徴は、前記複数の端子部および取付部は、等間隔で前記シールド板の一方向に配列されていることを要旨とする。
【００１９】
本発明の第１１の特徴は、前記シールド板が取り付けられたコネクタであることを要旨とする。
【発明の効果】
【００２０】
本発明によれば、シールド板に形成した取付部を複数の圧入部のうち少なくともいずれか１つの圧入部に圧入することで、シールド板をコネクタのハウジングに取り付けるようにしている。そのため、１つのハウジングでシールド板を取り付ける必要のないコネクタを形成することもできるし、シールド板を取り付けたコネクタを形成することもできる。すなわち、シールド板に汎用性を持たせることができる。
【００２１】
このように、本発明によれば、汎用性をより高めることのできるシールド板および当該シールド板が取り付けられたコネクタを得ることができる。
【図面の簡単な説明】
【００２２】
【図１】本発明の第１実施形態にかかるシールド板が取り付けられるコネクタを示す斜視図である。
【図２】相手側コネクタを示す斜視図である。
【図３】本発明の第１実施形態にかかるコネクタに相手側コネクタを嵌合させた状態を示す断面図である。
【図４】本発明の第１実施形態にかかるシールド板をコネクタに取り付ける状態を説明する斜視図である。
【図５】本発明の第１実施形態にかかるシールド板を取り付ける前のコネクタを示す平面図である。
【図６】本発明の第１実施形態にかかるシールド板を取り付ける前のコネクタの一部を拡大して示す平面図である。
【図７】本発明の第１実施形態にかかるシールド板を取り付けたコネクタを示す平面図である。
【図８】図７のＡ−Ａ断面図である。
【図９】図７のＢ−Ｂ断面図である。
【図１０】本発明の第１実施形態にかかるシールド板の一部を拡大して示す側面図である。
【図１１】コネクタに圧入されるコンタクトを示す図であって、（ａ）は斜視図、（ｂ）は側面図である。
【図１２】本発明の第２実施形態にかかるシールド板が取り付けられるコネクタを示す斜視図である。
【図１３】本発明の第２実施形態にかかるシールド板をコネクタに取り付ける状態を説明する斜視図である。
【図１４】本発明の第３実施形態にかかるシールド板をコネクタに取り付ける状態を説明する斜視図である。
【図１５】図１４に示すシールド板が取り付けられたコネクタに相手側コネクタを嵌合させた状態を示す断面図である。
【図１６】本発明の第３実施形態にかかるシールド板が取り付けられたコネクタの第１変形例を示した斜視図である。
【図１７】本発明の第３実施形態にかかるシールド板が取り付けられたコネクタの第２変形例を示した斜視図である。
【図１８】本発明の第３実施形態にかかるシールド板が取り付けられたコネクタの第３変形例を示した斜視図である。
【発明を実施するための形態】
【００２３】
以下、本発明の実施形態について図面を参照しつつ詳細に説明する。以下では、ソケットをコネクタ、ヘッダを相手側コネクタとして説明する。また、コネクタの短手方向（幅方向）をＸ方向、コネクタの長手方向をＹ方向、コネクタの厚さ方向（上下方向：ヘッダとソケットの装着方向）をＺ方向として説明する。
【００２４】
なお、以下の複数の実施形態には、同様の構成要素が含まれている。よって、以下では、それら同様の構成要素には共通の符号を付与するとともに、重複する説明を省略する。
【００２５】
（第１実施形態）
本実施形態にかかるソケット（コネクタ）２は、図３に示すように、ヘッダ（相手側コネクタ）３を嵌合させることで、ソケット２を装着した第１の回路基板５と、ヘッダ３を装着した第２の回路基板６とを電気的に接続させるものである。
【００２６】
ソケット２は、図１に示すように、合成樹脂などの絶縁材料によって形成された細長い矩形状のソケットハウジング（ハウジング）２１と、このソケットハウジング２１に装着される複数のソケットコンタクト（コンタクト）２２と、を備えている。本実施形態では、複数のソケットコンタクト２２は、ソケットハウジング２１の対向した長辺に沿って（Ｙ方向に沿って）所定ピッチをもって装着されている。
【００２７】
ソケットハウジング２１は、周縁部に沿って略矩形環状に連続的に形成される周壁部２１ａと、この周壁部２１ａの間に形成され、ヘッダ３を嵌合する凹部２１ｄと、を備えている。
【００２８】
本実施形態では、ソケットコンタクト２２は、凹部２１ｄが設けられたソケット２のＸ方向（幅方向）両側に一対設けられている。そして、この一対のソケットコンタクト２２をそれぞれソケット２のＹ方向（長手方向）に複数配列することで、ソケット側端子群を構成している。
【００２９】
ソケットコンタクト２２は、導電性を有する細長い金属などの弾性材料を曲げ加工することにより形成されている。ソケットコンタクト２２は、図３に示すように、ソケットハウジング２１のＸ方向（幅方向）外方に突出する端子部２２ａを備えている。また、ソケットコンタクト２２は、端子部２２ａの内側端部から上方に延在してソケットハウジング２１の周壁部（Ｘ方向両端に形成されてＹ方向に延在する周壁部）２１ａに保持される被保持部２２ｂを備えている。被保持部２２ｂは、端子部２２ａの内側端部に連設された外側挟持片２２ｃと、周壁部２１ａの内側面に当接する内側挟持片２２ｄと、外側挟持片２２ｃと内側挟持片２２ｄとを連結する連結片２２ｅと、で略Ｕ字状に形成されている。そして、この被保持部２２ｂを周壁部２１ａの頂部に係合させることで、ソケットコンタクト２２が周壁部２１ａに取り付けられることとなる。
【００３０】
さらに、ソケットコンタクト２２は、被保持部２２ｂ（内側挟持片２２ｄ）の下端部からソケットハウジング２１の内方に向かって湾曲した連結部２２ｆと、当該連結部２２ｆによって被保持部２２ｂに連結されて上方に延在する接触部２２ｇと、を備えている。
【００３１】
接触部２２ｇには、Ｘ方向の弾発力が備わっており、ソケットコンタクト２２を周壁部２１ａに取り付けた状態で、接触部２２ｇが上述したソケットハウジング２１の凹部２１ｄ内に露出して配置されるようになっている。このとき、端子部２２ａがソケットハウジング２１の下端に沿って外方（Ｘ方向外方）に突出して配置されることとなる。そして、ソケットハウジング２１から突出した端子部２２ａは、第１の回路基板５に形成された回路パターン（図示せず）に半田付けされる。こうして、それぞれのソケットコンタクト２２が第１の回路基板５の回路パターン（図示せず）に電気的に接続された状態で、ソケット２が第１の回路基板５に実装されることとなる。
【００３２】
また、本実施形態では、Ｘ方向両端に形成されてＹ方向に延在する周壁部２１ａには、Ｘ方向およびＺ方向に延在する隔壁部２１ｂがＹ方向に沿って複数形成されている。そして、互いに隣り合うソケットコンタクト２２は、この隔壁部２１ｂによって電気的に絶縁されている。また、それぞれの隔壁部２１ｂのＸ方向外側には、Ｚ方向およびＹ方向に延在する押さえ壁２１ｃが形成されており、この押さえ壁２１ｃによって、周壁部２１ａに取り付けたソケットコンタクト２２の抜け止めがなされている。
【００３３】
そして、互いに隣り合う隔壁部２１ｂおよびそれぞれの隔壁部２１ｂに形成された押さえ壁２１ｃによって形成された空間がソケットコンタクト２２を圧入する圧入部２１ｅとなっている。圧入部２１ｅは、図５および図６に示すように、ソケットハウジング２１の側壁である周壁部２１ａよりもＸ方向外側にある外側圧入部２１ｆと周壁部２１ａよりもＸ方向内側にある内側圧入部２１ｇとを備えている。そして、ソケットコンタクト２２の外側挟持片２２ｃを外側圧入部２１ｆに圧入し、ソケットコンタクト２２の内側挟持片２２ｄを内側圧入部２１ｇに圧入することで、ソケットコンタクト２２がソケットハウジング２１の圧入部２１ｅに圧入される。本実施形態では、外側挟持片２２ｃに圧入突部２２ｉを形成することで、外側挟持片２２ｃのＹ方向幅が隣り合う隔壁部２１ｂ間の距離Ｄ１よりも若干広くなるようにし、内側挟持片２２ｄに圧入突部２２ｊを形成することで、内側挟持片２２ｄのＹ方向幅が隣り合う隔壁部２１ｂ間の距離Ｄ１よりも若干広くなるようにしている。そして、隣り合う隔壁部２１ｂ間の距離Ｄ１よりも幅広の外側挟持片２２ｃおよび内側挟持片２２ｄを外側圧入部２１ｆおよび内側圧入部２１ｇにそれぞれ圧入するようにしている。なお、外側挟持片２２ｃおよび内側挟持片２２ｄのいずれか一方の挟持片のみが圧入されるようにしてもよい。
【００３４】
また、互いに隣り合う押さえ壁２１ｃの間には隙間Ｄ２が形成されており、この隙間Ｄ２からソケットコンタクト２２の被保持部２２ｂ（外側挟持片２２ｃ）が露出している。このとき、外側挟持片２２ｃのＹ方向幅は、互いに隣り合う押さえ壁２１ｃの間の隙間Ｄ２よりも幅広となっているため、この押さえ壁２１ｃによって、周壁部２１ａに取り付けたソケットコンタクト２２の抜け止めがなされることとなる。
【００３５】
また、図１に示すように、ソケットハウジング２１のＹ方向（長手方向）の両端部にはソケット保持金具２３が取り付けられている。ソケット保持金具２３はＸ方向外方（幅方向外方）に突出する取付片部２３ａを有しており、この取付片部２３ａが第１の回路基板５に半田付けされる。このように、取付片部２３ａを第１の回路基板５に半田付けすることで、ソケットコンタクト２２の端子部２２ａを半田付けすることと相俟って、ソケット２が第１の回路基板５に対して強固に結合されることとなる。なお、ソケット保持金具２３は、ソケットハウジング２１に圧入するもしくはインサート成型することで、ソケットハウジング２１に取り付けられる。
【００３６】
一方、ヘッダ（相手側コネクタ）３は、図２に示すように、ソケット２と同様に合成樹脂などの絶縁材料によって形成された細長い矩形状のヘッダハウジング３１と、このヘッダハウジング３１に装着される複数のヘッダコンタクト３２と、を備えている。本実施形態では、複数のヘッダコンタクト３２は、ヘッダハウジング３１の対向した長辺に沿って（Ｙ方向に沿って）ソケットコンタクト２２のピッチと等しいピッチをもって装着されている。
【００３７】
ヘッダハウジング３１は、Ｘ方向中央部にＹ方向に延在する凹部３１ｂを形成することで、凹部３１ｂのＸ方向両端にＹ方向に延在する一対の側壁部３１ａが形成されている。
【００３８】
そして、一対の側壁部３１ａにはヘッダコンタクト３２が一対設けられており、この一対のヘッダコンタクト３２をそれぞれヘッダ３のＹ方向（長手方向）に複数配列することで、ヘッダ側端子群を構成している。
【００３９】
ヘッダコンタクト３２は、ソケットコンタクト２２と同様に導電性を有する細長い金属などの弾性材料を曲げ加工することにより形成されている。図３にも示すように、ヘッダコンタクト３２は、ヘッダハウジング３１のＸ方向（幅方向）外方に突出する端子部３２ａを備えている。また、ヘッダコンタクト３２は、端子部３２ａの内側端部から上方に延在してヘッダハウジング３１の外側面（それぞれの側壁部３１ａの外側面）に露出する接触部３２ｂを備えている。さらに、ヘッダコンタクト３２は、略Ｕ字状に形成されて側壁部３１ａに保持される被保持部３２ｄを備えている。そして、インサート成型等により、被保持部３２ｄを側壁部３１ａの頂部に係合させることで、ヘッダコンタクト３２が側壁部３１ａに取り付けられることとなる。
【００４０】
そして、ヘッダコンタクト３２を側壁部３１ａに取り付けると、接触部３２ｂが側壁部３１ａの外側に露出して配置され、端子部３２ａがヘッダハウジング３１の下端に沿って外方（Ｘ方向外方）に突出して配置されることとなる。そして、ヘッダハウジング３１から突出した端子部３２ａは、第２の回路基板６に形成された回路パターン（図示せず）に半田付けされる。こうして、それぞれのヘッダコンタクト３２が第２の回路基板６の回路パターン（図示せず）に電気的に接続された状態で、ヘッダ３が第２の回路基板６に実装されることとなる。
【００４１】
また、図２に示すように、ヘッダハウジング３１のＹ方向（長手方向）の両端部にはヘッダ保持金具３３が取り付けられている。このヘッダ保持金具３３は、ヘッダ３を第２の回路基板６に保持するためのものである。
【００４２】
ヘッダ保持金具３３はＸ方向外方（幅方向外方）に突出する取付片部３３ａを有しており、この取付片部３３ａが第２の回路基板６に半田付けされる。このように、取付片部３３ａを第２の回路基板６に半田付けすることで、ヘッダコンタクト３２の端子部３２ａを半田付けすることと相俟って、ヘッダ３が第２の回路基板６に対して強固に結合されることとなる。なお、ヘッダ保持金具３３は、ヘッダハウジング３１に圧入するもしくはインサート成型することで、ヘッダハウジング３１に取り付けられる。
【００４３】
本実施形態では、第１の回路基板５および第２の回路基板６は、以下のようにして電気的に接続される。まず、ソケット２を第１の回路基板５に実装し、ヘッダ３を第２の回路基板６に実装する。そして、図３に示すように、ヘッダコンタクト３２がそれぞれ取り付けられた側壁部３１ａを、ソケットコンタクト２２がそれぞれ取り付けられた凹部２１ｄに差し込む。これにより、ヘッダコンタクト３２の接触部３２ｂがソケットコンタクト２２の接触部２２ｇに接離自在に圧接される。この状態で、ソケットコンタクト２２とヘッダコンタクト３２とが電気的に接続されて、第１の回路基板５と第２の回路基板６とを導通させることができる。
【００４４】
このとき、図３に示すように、ソケットコンタクト２２の接触部２２ｇとヘッダコンタクト３２の接触部３２ｂとには、互いに係合してソケット２とヘッダ３との結合状態を保持するロック部４が設けられている。本実施形態では、ソケットコンタクト２２の接触部２２ｇに形成した突部２２ｈと、ヘッダコンタクト３２の接触部３２ｂに形成されて突部２２ｈを係合する係合凹部３２ｃとでロック部４を構成している。
【００４５】
かかる構成とすることで、ヘッダ３をソケット２に嵌合させる際には、ヘッダコンタクト３２の接触部３２ｂによってソケットコンタクト２２の接触部２２ｇを弾性変形させながら、側壁部３１ａが凹部２１ｄに挿入される。そして、ロック部４が係合することで、すなわち、突部２２ｈが係合凹部３２ｃに係合することで、ヘッダコンタクト３２の接触部３２ｂとソケットコンタクト２２の接触部２２ｇとの係合がロックされ、ソケット２とヘッダ３との結合状態が保持される。
【００４６】
一方、ソケット２とヘッダ３とを離脱させる際には、ロック部４の係合（突部２２ｈと係合凹部３２ｃとの係合）を解除した状態で、ソケット２とヘッダ３とを引き剥がし方向に抜去することで、ソケット２とヘッダ３とを分離させることができる。
【００４７】
ここで、本実施形態では、シールド板７をソケット（コネクタ）２に取り付けるようにしている。具体的には、２つのシールド板を用い、ソケット２のＸ方向両端にシールド板７をそれぞれ取り付けるようにしている。
【００４８】
このシールド板７は、導電性を有する金属などの弾性材料を曲げ加工することにより形成されており、図４に示すように、ソケットコンタクト２２を覆う略板状のシールド壁部７１を備えている。そして、シールド板７をソケットハウジングに取り付けた際には、シールド壁部７１が、ソケットコンタクト２２の被保持部２２ｂ（外側挟持片２２ｃ）の露出部分を側面（Ｘ方向外側）から覆うこととなり、ソケット（コネクタ）２は、このシールド壁部７１によってシールドされることとなる。
【００４９】
このシールド板７は、ソケット（コネクタ）２のソケットハウジング（ハウジング）２１に取り付ける取付部７２を備えている。そして、取付部７２を複数の圧入部２１ｅのうち少なくともいずれか１つの圧入部２１ｅに圧入するようにしている。
【００５０】
本実施形態では、複数の圧入部２１ｅは、ソケットハウジング２１のＸ方向両端に、Ｙ方向に沿って所定ピッチをもって形成されている。
【００５１】
そして、複数の圧入部２１ｅのうちＹ方向両端に位置する２つの圧入部２１ｅに取付部７２を圧入するようにし、その間にある複数の圧入部２１ｅにソケットコンタクト２２を圧入するようにして、ソケット側端子群を構成するようにしている。すなわち、２つのシールド板７のそれぞれに形成された取付部７２を、四隅に位置する圧入部２１ｅにそれぞれ圧入するようにしている。
【００５２】
この取付部７２は、図４および図９に示すように、シールド壁部７１の上端から延設されており、Ｘ方向内側から下方に向けて延在するように形成されている。そして、シールド壁部７１のＹ方向両端に形成された２つの取付部７２は、圧入部分７２ａの形状がソケットコンタクト２２の内側挟持片２２ｄ（コンタクトの圧入部分）の形状とほぼ同一となるように形成されている。
【００５３】
具体的には、図１０および図１１に示すように、取付部７２の圧入部分７２ａに内側挟持片２２ｄの圧入突部２２ｊとほぼ同一形状の圧入突部７２ｂを形成することで、圧入部分７２ａのＹ方向幅が隣り合う隔壁部２１ｂ間の距離Ｄ１よりも若干広くなるようにしている。そして、隣り合う隔壁部２１ｂ間の距離Ｄ１よりも幅広の圧入部分７２ａをＹ方向両端の内側圧入部２１ｇに圧入することで、シールド板７をソケットハウジング（ハウジング）２１に取り付けている。このとき、シールド板７の２つの取付部７２の間にある圧入部２１ｅに圧入されたソケットコンタクト２２（外側挟持片２１ｄの露出部分）がシールド壁部７１によって覆われることとなる。
【００５４】
さらに、本実施形態では、シールド板７に、ソケットハウジング２１の内側に形成された空間部に配置される規制部７３を形成している。
【００５５】
この規制部７３は、シールド壁部７１の取付部７２と対応する部位の下端から延設されており、Ｘ方向内側から上方に向けて延在するように形成されている。そして、シールド板７をソケットハウジング２１に取り付けた際には、規制部７３の先端部７３ａが外側圧入部２１ｆ内に配置されるようにしている。このとき、図４に示すように、先端部７３ａのＹ方向幅が、互いに隣り合う押さえ壁２１ｃの間の隙間Ｄ２よりも幅広となるように規制部７３を形成している。そのため、ソケットハウジング２１に取り付けたシールド板７が、ソケットハウジング２１から離れる方向（Ｘ方向外側）に相対的に移動しようとしても、押さえ壁２１ｃの内面２１ｈに当接した規制部７３の先端部７３ａによって移動を規制することができる。なお、本実施形態では、外側圧入部２１ｆがソケットハウジング２１の内側に形成された空間部に相当し、押さえ壁２１ｃの内面２１ｈがソケットハウジング（ハウジング）２１の壁部内面に相当している。
【００５６】
さらに、本実施形態では、複数のソケットコンタクト２２の一部を信号用コンタクト２２Ｓとして用い、その他のソケットコンタクト２２をグランド用コンタクト２２Ｇとして用いるようにしている。具体的には、図７に示すように、Ｙ方向に配列されたソケット側端子群のＹ方向一端（図７の左側）をグランド用コンタクト２２Ｇとし、２つおきにグランド用コンタクト２２Ｇを配列し、その間に２つの信号用コンタクト２２ＳがＹ方向に並設されるようにしている。そして、ソケット側端子群のＹ方向他端（図７の右側）がグランド用コンタクト２２Ｇとなるようにしている。このように、本実施形態では、信号用コンタクト２２Ｓの隣にグランド用コンタクト２２Ｇが配置されるようにしている。
【００５７】
そして、シールド板７に、当該シールド板７をソケットハウジング２１に取り付けた状態で、グランド用コンタクト２２Ｇに接触する接触部７４を形成している。具体的には、シールド壁部７１のグランド用コンタクト２２Ｇに対応する部位に、下端から内側かつ上側に向けて延在する舌片状の接触部７４を形成している。この接触部７４は、弾性変形可能となるように形成されている。そして、シールド板７をソケットハウジング２１に取り付けた際には、接触部７４は、若干弾性変形した状態でグランド用コンタクト２２Ｇに接触するようになっている。
【００５８】
かかる構成のシールド板７をソケットハウジング２１に装着すると、取付部７２の圧入部分７２ａがソケットコンタクト２２の内側挟持片２２ｄ（コンタクトの圧入部分）に圧入される。このとき、規制部７３の先端部７３ａが外側圧入部２１ｆ内に配置されて、ソケットハウジング２１に取り付けたシールド板７がソケットハウジング２１から離れる方向（Ｘ方向外側）に相対的に移動するのが規制される。また、接触部７４がグランド用コンタクト２２Ｇに接触することで、シールド板７がグランド接続される。そして、このようにグランド接続されたシールド板７のシールド壁部７１によってソケットコンタクト２２の被保持部２２ｂ（外側挟持片２２ｃ）の露出部分を側面（Ｘ方向外側）から覆うこととなり、ソケット（コネクタ）２は、このシールド壁部７１によってシールドされることとなる。
【００５９】
このように、ソケット（コネクタ）２をシールド壁部７１によってシールドすることで、ソケットコンタクト２２やヘッダコンタクト３２自体から発生する電磁波やソケットコンタクト２２やヘッダコンタクト３２に影響を与える外部からの電磁波をシールドすることができるようになる。その結果、電磁波障害や静電気障害が生じてしまうのを抑制することができるようになる。
【００６０】
以上、説明したように、本実施形態では、シールド板７に形成した取付部７２を複数の圧入部２１ｅのうち少なくともいずれか１つの圧入部２１ｅに圧入することで、シールド板７をソケット（コネクタ）２のソケットハウジング（ハウジング）２１に取り付けるようにしている。そのため、ソケット（１つのコネクタ）２をシールド板７を取り付ける必要のないコネクタとして用いることもできるし、シールド板７を取り付けたコネクタとして用いることもできる。すなわち、シールド板７に汎用性を持たせることができる。
【００６１】
このように、本実施形態によれば、汎用性をより高めることのできるシールド板７および当該シールド板７が取り付けられたソケット（コネクタ）２を得ることができる。また、シールド板取付用のコネクタハウジングを新たに製造する必要がなくなるため、コスト削減を図ることが可能となる。
【００６２】
また、本実施形態では、シールド板７に、当該シールド板７をソケットハウジング２１に取り付けた状態で、グランド用コンタクト２２Ｇに接触する接触部７４を形成している。そのため、シールド板７をソケットハウジング２１に取り付けるだけでシールド板７をグランド接続することができ、より容易にソケット（コネクタ）２をシールドすることができるようになる。また、本実施形態では、複数のソケットコンタクト２２の一部を信号用コンタクト２２Ｓとして用い、その他のソケットコンタクト２２をグランド用コンタクト２２Ｇとして用いるようにしている。すなわち、ソケットコンタクト２２をグランド用コンタクト２２Ｇとして活用している。そのため、任意の位置でシールド板７をグランド接続させることができるようになる。また、信号用コンタクト２２Ｓの隣にグランド用コンタクト２２Ｇを配置するようにすれば、信号用コンタクト２２Ｓから発生する電磁波が他の信号用コンタクト２２Ｓに影響を与えてしまうのを抑制することができ、ソケット（コネクタ）２のシールド性をより高めることができる。
【００６３】
また、本実施形態では、シールド板７に、ソケットハウジング２１の内側に形成された空間部に配置される規制部７３を形成している。具体的には、シールド板７をソケットハウジング２１に取り付けた際に、規制部７３の先端部７３ａが外側圧入部２１ｆ内に配置されるようにしている。そのため、ソケットハウジング２１に取り付けたシールド板７が、ソケットハウジング２１から離れる方向（Ｘ方向外側）に相対的に移動しようとしても、押さえ壁２１ｃの内面２１ｈに当接した規制部７３の先端部７３ａによって移動を規制することができる。その結果、接触部７４のグランド用コンタクト２２Ｇとの接触が解除されてしまうのを抑制することができ、より確実にソケット（コネクタ）２をシールドすることができるようになる。
【００６４】
また、本実施形態では、シールド壁部７１のＹ方向両端に形成された２つの取付部７２を、圧入部分７２ａの形状がソケットコンタクト２２の内側挟持片２２ｄ（コンタクトの圧入部分）の形状とほぼ同一となるように形成している。こうすれば、取付部７２が圧入されるソケットハウジング（ハウジング）２１の圧入部２１ｅにかかる負荷をソケットコンタクト２２が圧入されるソケットハウジング（ハウジング）２１の圧入部２１ｅにかかる負荷とほぼ同じにすることができる。その結果、ソケットハウジング（ハウジング）２１全体にかかる負荷のバランスを取ることができ、ソケットハウジング（ハウジング）２１の歪みやねじれを抑制することができるようになる。
【００６５】
（第２実施形態）
本実施形態にかかるシールド板７Ａは、上記第１実施形態のシールド板７とほぼ同一の構成をしている。
【００６６】
すなわち、本実施形態にかかるシールド板７Ａは、導電性を有する金属などの弾性材料を曲げ加工することにより形成されており、図１３に示すように、ソケットコンタクト２２を覆う略板状のシールド壁部７１を備えている。
【００６７】
また、シールド板７Ａは、ソケット（コネクタ）２のソケットハウジング（ハウジング）２１に取り付ける取付部７２を備えている。
【００６８】
さらに、本実施形態においても、シールド板７Ａに、ソケットハウジング２１の内側に形成された空間部に配置される規制部７３を形成している。
【００６９】
また、複数のソケットコンタクト２２の一部を信号用コンタクト２２Ｓとして用い、その他のソケットコンタクト２２をグランド用コンタクト２２Ｇとして用いるようにしている。
【００７０】
そして、シールド板７Ａに、当該シールド板７Ａをソケットハウジング２１に取り付けた状態で、グランド用コンタクト２２Ｇに接触する接触部７４を形成している。
【００７１】
ここで、本実施形態にかかるシールド板７Ａが、上記第１実施形態のシールド板７と主に異なる点は、ソケットハウジング（ハウジング）２１のＹ方向（一方向）中央部に形成された圧入部２１ｅにもシールド板７Ａの取付部７２を圧入するようにした点にある。
【００７２】
本実施形態では、上記第１実施形態のソケットハウジング（ハウジング）２１よりもＹ方向に長く、より多くのソケットコンタクト２２を圧入することのできるソケットハウジング（ハウジング）２１を用いている。
【００７３】
そして、図１２および図１３に示すように、複数の圧入部２１ｅは、ソケットハウジング２１のＸ方向両端に、Ｙ方向に沿って所定ピッチをもって形成されている。
【００７４】
また、複数の圧入部２１ｅのうちＹ方向両端に位置する２つの圧入部２１ｅに取付部７２を圧入するようにしている。さらに、ソケットハウジング（ハウジング）２１のＹ方向（一方向）中央部に形成された圧入部２１ｅにもシールド板７Ａの取付部７２を圧入するようにしている。
【００７５】
そして、その他の複数の圧入部２１ｅにソケットコンタクト２２を圧入するようにして、ソケット側端子群を構成するようにしている。
【００７６】
以上の本実施形態によっても、上記第１実施形態と同様の作用、効果を奏することができる。
【００７７】
また、本実施形態によれば、ソケットハウジング（ハウジング）２１のＹ方向（一方向）中央部に形成された圧入部２１ｅにもシールド板７Ａの取付部７２を圧入するようにしている。そのため、ソケットコンタクト２２の数が多く、ソケットハウジング（ハウジング）２１が長い場合であっても、より確実にシールド板７Ａをソケットハウジング２１に取り付けることができ、グランド用コンタクト２２Ｇと接触部７４との接触状態を維持することができるようになる。
【００７８】
なお、シールド板に形成する取付部の数は、ソケットコンタクトの数や、ソケットハウジング（ハウジング）の長さに応じて適宜設定することができる。
【００７９】
（第３実施形態）
図１４および図１５は、本発明の第３実施形態にかかるシールド板７Ｂを示した図である。本実施形態にかかるシールド板７Ｂは、上記第１実施形態のシールド板７とほぼ同一の構成をしている。
【００８０】
すなわち、本実施形態にかかるシールド板７Ｂは、導電性を有する金属などの弾性材料を曲げ加工することにより形成されており、図１４に示すように、ソケットコンタクト２２を覆う略板状のシールド壁部７１を備えている。
【００８１】
また、シールド板７Ｂは、ソケット（コネクタ）２のソケットハウジング（ハウジング）２１に取り付ける取付部７２を備えている。
【００８２】
ここで、本実施形態のシールド板７Ｂが上記第１実施形態のシールド板７と主に異なる点は、取付部７２の圧入部分７２ａに、ソケット（コネクタ）２がヘッダ（相手側コネクタ）３と合体した際にヘッダコンタクト３２と接触する接触部分７７を延設した点にある。
【００８３】
具体的には、図１５に示すように、本実施形態では接触部分７７の形状が、ソケットコンタクト２２のヘッダコンタクト（相手側コネクタのコンタクト）３２との接触部分の形状とほぼ同一となっている。
【００８４】
すなわち、接触部分７７は、圧入部分７２ａの下端部からソケットハウジング２１の内方に向かって略Ｕ字状に湾曲形成されており、その先端（上端）側にはロック部４の一方を構成する突部７７ａが設けられている。
【００８５】
また、接触部分７７には、Ｘ方向の弾発力が備わっており、シールド板７Ｂをソケット（コネクタ）２に取り付けた状態で、接触部分７７がソケットハウジング２１の凹部２１ｄ内に露出して配置されるようになっている。
【００８６】
本実施形態では、このような接触部分７７が設けられた取付部７２を、１つのシールド板７Ｂにつき３つずつ用いるようにしている。そして、その３つの取付部７２を、複数の圧入部２１ｅのうちのソケットハウジング２１のＹ方向両端に位置する２つの圧入部２１ｅと、Ｙ方向中央部に位置する圧入部２１ｅとに圧入している。
【００８７】
したがって、かかる構成のシールド板７Ｂが取り付けられたソケット（コネクタ）２にヘッダ（相手側コネクタ）３を合体させた状態では、ソケットコンタクト２２とヘッダコンタクト３２とがロック部４が係合しつつ互いに接触することになる（図３参照）。また、図１５に示すように、取付部７２の接触部分７７とそれと対向する位置に配置されたヘッダコンタクト（相手側コネクタのコンタクト）３２とについても、ロック部４が係合しつつ互いに接触することになる。
【００８８】
このとき、本実施形態では、複数のヘッダコンタクト（相手側コネクタのコンタクト）３２は、その一部が信号用コンタクトとして用いられ、その他のヘッダコンタクト３２がグランド用コンタクトとして用いられている。そして、上述した取付部７２の接触部分７７を、ヘッダコンタクト（相手側コネクタのコンタクト）３２のグランド用コンタクトに接触させるようにしている。
【００８９】
このように、本実施形態では、上記第１実施形態のソケットコンタクト２２のグランド用コンタクト２２Ｇを介して、シールド板７の接触部７４とヘッダコンタクト３２のグランド用コンタクトとをグランド接続させる構成を廃止している。そして、取付部７２に接触部分７７を設けることで、その接触部分７７をヘッダコンタクト３２のグランド用コンタクトに直接接触させるようにしたものである。
【００９０】
また、本実施形態のシールド板７Ｂには、上記第１実施形態のソケットハウジング２１の内側に形成された空間部に配置される規制部７３についても設けていない。その代わりに、ソケットハウジング２１のＹ方向両端の周壁部２１ａにシールド板７Ｂの角部を係止する取付壁２５を設けている。そして、その取付壁２５と周壁部２１ａの外側面との間に形成された溝にシールド板７Ｂの下側２つの角部を挿入することで、シールド板７Ｂのソケットハウジング２１から離れる方向（Ｘ方向外側）への移動を規制することができるようにしている。したがって、本実施形態では、取付部７２の接触部分７７とヘッダコンタクト３２との接触が解除されてしまうのを取付壁２５によって抑制することができるようになる。
【００９１】
さらに、本実施形態のシールド板７Ｂは、シールド壁部７１の下端部からＸ方向外方（幅方向外側）に向けて略Ｌ字状に突設された複数の端子部７６を備えている。この端子部７６は、上述したソケット保持金具２３の取付片部２３ａとソケットコンタクト２２の端子部２２ａと一緒に第１の回路基板（回路基板）５に半田付けして取付固定されるようになっている。
【００９２】
そして、本実施形態では、上述した複数の端子部７６と取付部７２とがＹ方向（一方向）の同位置に配列されるようにシールド板７Ｂに設けられている。
【００９３】
具体的には、本実施形態では、シールド壁部７１の下端部から突出して端子部７６が設けられているのに対し、取付部７２はシールド壁部７１の上端部から突出して設けられている。そして、それら端子部７６と取付部７２とが、Ｙ方向（一方向）の正面視で互いにＺ方向に重なりつつＹ方向（一方向）に配列されている。なお、本実施形態のシールド板７Ｂには、端子部７６と取付部７２とが、それぞれ３つずつＹ方向（一方向）に配列されている。
【００９４】
また、本実施形態では、端子部７６および取付部７２は、等間隔でシールド板７ＢのＹ方向（一方向）に配列されている。こうすることで、隣接する端子部７６および取付部７２間に、同数のソケットコンタクト２２を配置することができるようにしている。本実施形態では、隣接する端子部７６および取付部７２間に、５つのソケットコンタクト２２を配置しており、シールド板７Ｂの端子部７６および取付部７２が６ピンおきの配列となっている。
【００９５】
なお、本実施形態では、取付部７２の接触部分７７をヘッダコンタクト３２のグランド用コンタクトに直接接触させるようにしたことで、ソケットコンタクト２２はすべてが信号用コンタクト２２Ｓ（図１４ではＳ）として用いられている。一方、シールド板７Ｂの端子部７６および取付部７２はグランドＧとなる。
【００９６】
以上の本実施形態によっても、上記第１および第２実施形態と同様の作用、効果を奏することができる。
【００９７】
また、本実施形態では、取付部７２は、圧入部分７２ａとその圧入部分７２ａから延設されてソケット（コネクタ）２がヘッダ（相手側コネクタ）３と合体した際にヘッダコンタクト（相手側コネクタのコンタクト）３２と接触する接触部分７７とを備えている。そのため、接触部分７７によって接圧を高めてソケット２とヘッダ３の嵌合力を高めることができるようになり、例えば落下の衝撃などでソケット２とヘッダ３の嵌合が安易に外れてしまうのを抑制することができる。
【００９８】
さらに、本実施形態では、取付部７２の接触部分７７が、ヘッダコンタクト（相手側コネクタのコンタクト）３２のグランド用コンタクトに接触するようにしている。そのため、上記第１および第２実施形態と比べて、接触部７４やグランド用コンタクト２２Ｇが不要となり、構成を簡素化しつつシールド性を確保することができるという利点がある。
【００９９】
また、本実施形態では、シールド板７Ｂは、第１の回路基板（回路基板）５に取付固定される複数の端子部７６を備えており、その複数の端子部７６と複数の取付部７２とがＹ方向（一方向）の同位置に配列されるようにシールド板７Ｂに設けられている。そのため、隣接する端子部７６および取付部７２間に、ソケットコンタクト２２を整然と配置することができ、ピン配列（ソケットコンタクト２２とシールド板７Ｂの端子部７６および取付部７２の配列）が容易になるという利点がある。また、取付部７２をグランド接続させることにより、ソケットコンタクト２２（信号用コンタクト２２Ｓ）から発生する電磁波が他のソケットコンタクト２２（信号用コンタクト２２Ｓ）に影響を与えてしまうのを抑制でき、シールド性を高めることができる。
【０１００】
さらに、本実施形態では、複数の端子部７６および取付部７２が、等間隔でシールド板７ＢのＹ方向（一方向）に配列されている。そのため、隣接する端子部７６および取付部７２間に同数のソケットコンタクト２２を配置することができるようになり、各隣接する端子部７６および取付部７２間でソケットコンタクト２２の数が異なる場合と比べてシールド性をより高めることができる。
【０１０１】
次に、図１６〜図１８を参照して、上記第３実施形態にかかるシールド板が取り付けられたコネクタの変形例について説明する。
【０１０２】
図１６は、シールド板７Ｃが取り付けられたソケット（コネクタ）２の第１変形例を示した図であり、本変形例が上記第３実施形態と主に異なる点は、シールド板７ＣのＺ方向の厚さを薄くしたことにある。
【０１０３】
なお、上記第３実施形態では、シールド板７ＢのＺ方向の厚さが３ミリメートル程度だったのに対し、本変形例では、シールド板７ＣのＺ方向の厚さが１．５ミリメートル程度となっている。
【０１０４】
以上の構成の本変形例にあっても、上記第３実施形態と同様の作用、効果を得ることができる。
【０１０５】
また、本変形例では、シールド板７ＣのＺ方向の厚さを薄くしたため、ソケット（コネクタ）２の小型化（薄型化）、軽量化に繋がる。
【０１０６】
図１７は、シールド板７Ｄが取り付けられたソケット（コネクタ）２の第２変形例を示した図であり、本変形例が上記第３実施形態と主に異なる点は、シールド板７ＤのＹ方向の長さを短くしたことにある。
【０１０７】
具体的には、上記第３実施形態のシールド板７Ｂでは、シールド壁部７１がソケットハウジング２１のＹ方向両端部まで延在してシールドする構成となっていた。これに対し、本変形例のシールド板７Ｄでは、シールド壁部７１が少なくともＹ方向両端に配置されるコンタクト接触部（本変形例では取付部７２の接触部分７７）をオーバーラップする位置まで延在してシールドする構成となっている。
【０１０８】
なお、本変形例では、シールド板７ＤのＹ方向の長さを短くしたことにより、シールド板７Ｄの下側２つの角部が挿入される取付壁２５についても、上記第３実施形態の取付壁２５と比べてＹ方向内側に配置されている。
【０１０９】
以上の構成の本変形例にあっても、上記第１実施形態および第１変形例と同様の作用、効果を得ることができる。
【０１１０】
また、本変形例では、シールド板７ＤのＹ方向の長さを短くしたため、ソケット（コネクタ）２の軽量化に繋がる。
【０１１１】
図１８は、シールド板７Ｅが取り付けられたソケット（コネクタ）２の第３変形例を示した図であり、本変形例が上記第３実施形態と主に異なる点は、シールド板７ＥのＺ方向の厚さを薄くするとともに、Ｙ方向の長さを短くしたことにある。
【０１１２】
すなわち、本変形例のシールド板７Ｅは、上記第１変形例のシールド板７Ｃと上記第２変形例のシールド板７Ｄを組み合わせたものである。
【０１１３】
以上の構成の本変形例にあっても、上記第１実施形態および第１、第２変形例と同様の作用、効果を得ることができる。
【０１１４】
また、本変形例では、シールド板７ＥのＺ方向の厚さを薄くするとともに、Ｙ方向の長さを短くしたため、ソケット（コネクタ）２の小型化（薄型化）、軽量化に繋がる。
【０１１５】
以上、本発明の好適な実施形態について説明したが、本発明は上記実施形態には限定されず、種々の変形が可能である。
【０１１６】
例えば、上記各実施形態では、シールド板をソケットに取り付けるようにしたものを例示したが、ヘッダに取り付けるようにしてもよい。
【０１１７】
また、ソケットハウジングやヘッダハウジング、ソケットコンタクトやヘッダコンタクト、その他細部のスペック（形状、大きさ、レイアウト等）も適宜に変更可能である。
【符号の説明】
【０１１８】
２  ソケット（コネクタ）
３  ヘッダ（相手側コネクタ）
２１  ソケットハウジング（ハウジング）
２１ｅ  圧入部
２１ｈ  内面（壁部内面）
２２  ソケットコンタクト（コンタクト）
２２Ｓ  信号用コンタクト
２２Ｇ  グランド用コンタクト
３２  ヘッダコンタクト（相手側コネクタのコンタクト）
７  シールド板
７１  シールド壁部
７２  取付部
７２ａ  圧入部分
７３  規制部
７４  接触部
７６  端子部
７７  取付部分
【図１】
2013211249.tif 000003
【図２】
2013211249.tif 000004
【図３】
2013211249.tif 000005
【図４】
2013211249.tif 000006
【図５】
2013211249.tif 000007
【図６】
2013211249.tif 000008
【図７】
2013211249.tif 000009
【図８】
2013211249.tif 000010
【図９】
2013211249.tif 000011
【図１０】
2013211249.tif 000012
【図１１】
2013211249.tif 000013
【図１２】
2013211249.tif 000014
【図１３】
2013211249.tif 000015
【図１４】
2013211249.tif 000016
【図１５】
2013211249.tif 000017
【図１６】
2013211249.tif 000018
【図１７】
2013211249.tif 000019
【図１８】
2013211249.tif 000020